(57)【特許請求の範囲】
【請求項１】
発光素子と、長尺状の導光部材とを有し、前記発光素子からの光を前記導光部材の端面から内部に導光して長手方向に沿った光出射面から被照射体に照射する照明部を備えた画像読取装置であって、
前記発光素子を前記導光部材の前記端面に対向させて支持する支持部材を備え、
前記支持部材の側壁には、前記発光素子を囲むように凹部が形成され、前記凹部の内壁の一部は切り欠かれて開放されていることを特徴とする画像読取装置。
【請求項２】
請求項１に記載の画像読取装置であって、
前記凹部には、副走査方向に向かって開放された開口部が設けられていることを特徴とする画像読取装置。
【請求項３】
請求項２に記載の画像読取装置であって、
前記開口部は、前記副走査方向に対して傾斜させて設けられていることを特徴とする画像読取装置。
【請求項４】
請求項３に記載の画像読取装置であって、
前記開口部は、前記被照射体から離れる方向に傾斜していることを特徴とする画像読取装置。
【請求項５】
請求項２から請求項４までのいずれか一つに記載の画像読取装置であって、
前記開口部の内周面は、前記開口部から流入する空気を前記発光素子に導く曲面とされていることを特徴とする画像読取装置。
【請求項６】
請求項１から請求項５までのいずれか一つに記載の画像読取装置と、
前記画像読取装置により読み取られた前記被照射体の画像を記録用紙に印刷する印刷部と、を備えたことを特徴とする画像形成装置。
【発明の詳細な説明】
【技術分野】
【０００１】
本発明は、画像読取装置及びそれを備えた画像形成装置に関する。
【背景技術】
【０００２】
この種の画像読取装置においては、ガラス上で原稿を副走査方向に搬送しつつ、ガラスの下方で、光源部により原稿を照明して、ＣＣＤ(Charge Coupled Device)等の撮像素子により原稿を主走査方向に繰り返し走査して読み取ったり、あるいはガラス上に原稿を位置決めして載置し、ガラスの下方で、光源部及び撮像素子等を副走査方向に移動させつつ、光源部により原稿を照明して、撮像素子により原稿を主走査方向に繰り返し走査して読み取ったりしている。また、原稿を照明する光源部としては、種々のものがあり、蛍光灯やＬＥＤアレイ等が用いられている。
【０００３】
このような画像読取装置では、原稿を照明する光を光源等が発光し、導光部材等を経由して原稿面に光が照射され、原稿面で反射された反射光（読取光）を所定の光路に沿ってＣＣＤ等の撮像素子まで到達させて撮像している。このとき、導光部材の内部で光を導光しつつ散乱反射させることで出射面から光を取り出している。
【０００４】
この場合、発光素子から種々の波長の光が照射されており、その中には、赤外領域の波長の光が含まれている。
【０００５】
そのため、赤外領域の波長の光をカットする赤外カットフィルターを発光素子と導光部材との間に設けた画像読取装置が提案されている（例えば、特許文献１参照）。
【０００６】
特許文献１には、光源として広指向性のＬＥＤと導光部材とを使用し、導光部材はＬＥＤの発光部に一端面（入射面）が接し、他端面（出射面）側が照明方向に向いた状態に配置されており、この導光部材の出射面に、赤外領域の波長の光をカットする赤外カットフィルターを設けた構成が開示されている。
【先行技術文献】
【特許文献】
【０００７】
【特許文献１】特開２００６−２２７３８４号公報
【発明の概要】
【発明が解決しようとする課題】
【０００８】
ところで、ＬＥＤが高輝度になるに従い、より大きな放熱機構が必要になり、導光部材を含め、周辺部材の耐熱性が必要になる。しかし、特許文献１では、赤外カットフィルターをＬＥＤから離れた導光部材の他端面（出射面）に設けているため、ＬＥＤの近傍では導光部材に赤外領域の波長の光が導光されるため、ＬＥＤからの熱が導光部材を含む周辺部材に伝達されてしまうといった問題があった。
【０００９】
本発明はかかる問題点を解決すべく創案されたもので、その目的は、原稿載置台に載置された原稿の画像読取時に画像読取装置が副走査方向に移動することを利用し、その移動による空気の流れを発光素子の周辺に導くことで、冷却効果に優れた画像読取装置及び画像形成装置を提供することにある。
【課題を解決するための手段】
【００１０】
上記課題を解決するため、本発明の画像読取装置は、発光素子と、長尺状の導光部材とを有し、前記発光素子からの光を前記導光部材の端面から内部に導光して長手方向に沿った光出射面から被照射体に照射する照明部を備えた画像読取装置であって、前記発光素子を前記導光部材の前記端面に対向させて支持する支持部材を備え、前記支持部材の側壁には、前記発光素子を囲むように凹部が形成され、前記凹部の内壁の一部は切り欠かれて開放された構成としている。
【００１１】
この構成によると、原稿載置台に載置された原稿の画像読取時に画像読取装置が副走査方向に移動することで、前記凹部の開放部分から発光素子の周辺に空気が流入する。従って、この流入空気によって、発光素子及びその周辺部を冷却する効果が得られる。
【００１２】
また、本発明の画像読取装置によれば、前記凹部には、副走査方向に向かって開放された開口部が設けられていることが好ましい。
【００１３】
この構成によると、開口部を副走査方向に向かって開放することで、発光素子に向かって空気を効率よく流入させることができる。
【００１４】
また、本発明の画像読取装置によれば、前記開口部は、前記副走査方向に対して傾斜させて設けられた構成としてもよい。より具体的には、前記開口部は、前記被照射体から離れる方向に傾斜した構成としてもよい。
【００１５】
この構成によると、開口部を被照射体から離れる方向に傾斜させることで、開口部からの漏光が読取部近傍の被照射体に照射される割合、すなわち迷光を低減することができる。
【００１６】
また、本発明の画像読取装置によれば、前記開口部の内周面は、前記開口部から流入する空気を前記発光素子に導く曲面とされた構成としてもよい。
【００１７】
この構成によると、開口部から流入する空気の多くを発光素子の周辺に供給することができるので、冷却効果を高めることができる。
【００１８】
また、本発明の画像形成装置は、上記各構成の画像読取装置と、前記画像読取装置により読み取られた前記被照射体の画像を記録用紙に印刷する印刷部と、を備えたことを特徴としている。
【発明の効果】
【００１９】
本発明によれば、原稿の画像読取時に画像読取装置が副走査方向に移動することで、前記凹部の開放部分から発光素子の周辺に空気が流入する。従って、この流入空気によって、発光素子及び基板を含むその周辺部を効率よく冷却することができる。
【図面の簡単な説明】
【００２０】
【図１】本発明にかかる画像形成装置を示す概略斜視図である。
【図２】本発明にかかる画像形成装置を示す概略縦断面図である。
【図３】自動原稿送り装置、原稿読取部及び原稿載置台の概略縦断面図である。
【図４】実施の形態１にかかる光源ユニットの概略構成を示す概略斜視図である。
【図５】実施の形態１にかかる光源ユニットの概略縦断面図である。
【図６】実施の形態１にかかる光源ユニットの一端部を拡大して示す概略横断面図である。
【図７】実施の形態１にかかる光源ユニットの一端部を拡大して示す概略斜視図である。
【図８】実施の形態１にかかる光源ユニットの一端部を拡大して示す概略横断面図である。
【図９】実施の形態２にかかる光源ユニットの一端部を拡大して示す概略斜視図である。
【図１０】実施の形態２にかかる光源ユニットを構成するホルダー部材の正面図である。
【図１１】実施の形態２にかかる光源ユニットを構成するホルダー部材の側面図である。
【図１２】実施の形態３にかかる光源ユニットの一端部を拡大して示す概略斜視図である。
【図１３】実施の形態３にかかる光源ユニットを構成するホルダー部材の正面図である。
【図１４】実施の形態３にかかる光源ユニットを構成するホルダー部材の側面図である。
【図１５】実施の形態４にかかる光源ユニットの一端部を拡大して示す概略斜視図である。
【図１６】実施の形態４にかかる光源ユニットを構成するホルダー部材の正面図である。
【図１７】実施の形態５にかかる光源ユニットの一端部を拡大して示す概略横断面図である。
【発明を実施するための形態】
【００２１】
以下、本発明の実施の形態について、図面を参照して詳細に説明する。
【００２２】
図１は本発明にかかる画像読取装置を搭載した画像形成装置１００を示す概略斜視図、図２は、同概略縦断面図である。画像形成装置１００は、装置本体１１０及び自動原稿送り装置１２０を備え、さらに、装置本体１１０は、原稿の画像を読み取る原稿読取部９０と、原稿が載置される原稿載置台９２とを備えている。
【００２３】
原稿読取部９０は、装置本体１１０の上部に設けられている。原稿載置台９２は、透明ガラスで形成され、原稿読取部９０の上側に設けられている。自動原稿送り装置１２０は、原稿載置台９２の上側に取り付けられており、原稿載置台９２の上に自動で原稿を搬送する。また、自動原稿送り装置１２０は、装置本体１１０と自動原稿送り装置１２０とを連結する軸回りに回動自在に構成され、原稿載置台９２の上を開放することにより原稿を手置きで置くことができるようになっている。
【００２４】
自動原稿送り装置１２０、原稿読取部９０及び原稿載置台９２により、本発明にかかる原稿読取装置（画像読取装置）が構成されている。
【００２５】
画像形成装置１００は、原稿読取装置により読み取られた原稿の画像または外部から受信した画像データに応じて、所定の用紙（原稿）に対して多色及び単色の画像を形成する。
【００２６】
装置本体１１０は、露光ユニット１、現像器２、感光体ドラム３、クリーナユニット４、帯電器５、中間転写ベルトユニット６、定着ユニット７及び２次転写ユニット１０を備える構成とされている。本画像形成装置において扱われる画像データは、ブラック（Ｋ）、シアン（Ｃ）、マゼンタ（Ｍ）、イエロー（Ｙ）の各色を用いたカラー画像に応じたものである。従って、現像器２、感光体ドラム３、帯電器５、クリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００２７】
画像形成装置１００は、さらに、給紙カセット８１、手差し給紙カセット８２、排紙トレイ９１を備えている。
【００２８】
図３は、図１及び図２に示す原稿読取装置、すなわち自動原稿送り装置１２０、原稿読取部９０及び原稿載置台９２の概略縦断面図である。
【００２９】
原稿読取部９０は、光源部１２９を含む光源ユニット１４０、ミラーユニット１４１、集光レンズ１４２及び撮像素子（ここではＣＣＤ）１４３を備えている。光源部１２９は、後述する発光素子１４４及び導光部材１３０により構成されている。０
原稿載置台９２は、透明なガラス板からなり、主走査方向の両端部が原稿読取部９０の枠体に載置されている。自動原稿送り装置１２０は、副走査方向（図３中の矢印Ｘに沿う方向）に沿った軸線回りに（例えばヒンジによって軸支され）原稿読取部９０に対して開閉可能となっている。自動原稿送り装置１２０の下面は、原稿読取部９０の原稿載置台９２上に載置された原稿Ｇを上から押さえる原稿カバー５０（図３参照）を兼ねている。
【００３０】
原稿読取装置は、原稿固定方式により原稿Ｇを固定して原稿画像を読み取ると共に、原稿移動方式により原稿Ｇを移動させて原稿画像を読み取るように構成されている。
【００３１】
原稿固定方式によって原稿Ｇの原稿画像を読み取る場合、光源ユニット１４０は原稿載置台９２に載置される原稿Ｇに対して光を原稿載置台９２を介して照射しながら一定の速度で副走査方向Ｘの一方側に移動して原稿Ｇの画像を走査する。このとき、光源部１２９は、原稿載置台９２の下から原稿Ｇが載置される載置面に向けて光を照射する。それと同時にミラーユニット１４１は光源ユニット１４０の移動速度の１／２の移動速度で同じく副走査方向Ｘの一方側に移動する。
【００３２】
光源ユニット１４０にて照明された原稿Ｇからの反射光（読取光）は、光源ユニット１４０に設けられた第１ミラーで反射したのち、ミラーユニット１４１の第２及び第３ミラーによって光路変換され、集光レンズ１４２を介して撮像素子１４３に結像し、ここで原稿画像光が読み取られて電気的な画像データに変換される。
【００３３】
一方、原稿移動方式によって原稿Ｇの原稿画像を読み取る場合、光源ユニット１４０及びミラーユニット１４１が図３に示される位置に静止したまま、自動原稿送り装置１２０によって原稿Ｇが図３に示される位置の上部を通過するように副走査方向Ｘの一方側に搬送される。
【００３４】
そして、原稿読取ガラス９３上を通過した原稿Ｇの一方の面に、光源ユニット１４０からの光が該原稿読取ガラス９３を介して照射されて該一方の面で反射される。原稿Ｇから反射された光は、上述の原稿固定方式と同様に第１ミラー１４６から第２ミラーさらに第３ミラーによって光路変換され、集光レンズ１４２を介して撮像素子１４３に結像し、ここで原稿画像が読み取られて電気的な画像データに変換される。
【００３５】
本発明の実施の形態に係る光源ユニット１４０は、一つ又は二つ以上の導光部材を備えたものとして構成することができる。ここでは、二つの導光部材１３０を備えた光源ユニット１４０を例にとって以下に説明する。
【００３６】
＜実施の形態１＞
図４は、実施の形態１にかかる光源ユニット１４０の概略構成を示す概略斜視図、図５は、実施の形態１にかかる光源ユニット１４０の概略縦断面図、図６は、実施の形態１にかかる光源ユニット１４０の一端部を拡大して示す概略横断面図、図７は、実施の形態１にかかる光源ユニット１４０の一端部を拡大して示す概略斜視図である。
【００３７】
光源ユニット１４０は、発光素子１４４と、フレーム１４５と、第１ミラー１４６と、発光素子１４４が搭載される光源基板（基板）１４７と、光源駆動回路基板１４８と、放熱板１４９と、ホルダー部材（支持部材）１５０と、導光部材１３０とを備えている。
【００３８】
フレーム１４５は、主走査方向に長尺な板状部材の所定箇所を打ち抜き加工や折り曲げ加工により加工して、他の部材を固定支持する部材である。フレーム１４５に設けられた複数の孔は、他の部材をビス等によって取り付けるために用いられる。また、折り曲げて底部に対して立設された部分は、各部材の位置決めや固定に用いられる。
【００３９】
第１ミラー１４６は、ガラスの一面に銀蒸着で反射膜を形成したものであり、反射膜が形成された反射面と、反射面に略直交する端面と、反射面に対向する裏面を有しており、その断面形状は略矩形状で角部が面取り加工されている。また第１ミラー１４６は、それぞれ図示しないミラーホルダによってフレーム１４５に固定されており、原稿によって反射された読取光の光路上に所定位置及び所定角度で配置されている。第１ミラー１４６は、後述するホルダー部材１５０のスリットを通過してきた読取光が最初に入射するミラーであり、スリットの略直下に位置している。
【００４０】
光源基板１４７は、プリント配線基板等の表面上に発光素子１４４を搭載した部材である。図４に示すように、光源基板１４７は、搭載されている発光素子１４４が導光部材１３０の両端面に対向するようにホルダー部材１５０に取り付けられている。発光素子１４４としては、ＬＥＤ（Light Emitting Diode）が装置の小型化や点光源としての特性を有しているため最も適しているが、ＬＥＤの代わりに、他の種類の半導体素子や電球等を適用しても構わない。
【００４１】
光源駆動回路基板１４８は、光源基板１４７に搭載された発光素子１４４を駆動制御する駆動回路を搭載した基板であり、フレーム１４５上のホルダー部材１５０の外部に取り付けられている。光源駆動回路基板１４８には図示しないハーネスの一端が接続されている。ハーネスの他端は、ホルダー部材１５０の周囲に沿って延伸されて光源基板１４７に接続され、発光素子１４４を駆動する電力は制御信号を伝達する。
【００４２】
放熱板１４９は、熱伝導率の高い金属などにより形成された板状部材であり、光源基板１４７の裏面に熱的に接触して配置されている。したがって、発光素子１４４が発光することで生じた熱は、光源基板１４７の裏面を経由して放熱板１４９に伝達され、外部に放散される。
【００４３】
ホルダー部材１５０は、二本の導光部材１３０を保持する部材であり、主走査方向に長尺な枠形状の壁部１５１と、壁部１５１と一体に形成された略半円柱側面の取付凹部１５２とを有している。壁部１５１は、フレーム１４５の底面に対して略鉛直方向に立設して設けられている。この壁部１５１は、主走査方向（図４及び図６中の矢印Ｙに沿う方向）に沿う長尺板部１５３と、主走査方向Ｙに直交する副走査方向Ｘに沿う短板部１５４とからなり、この壁部１５１内に、所定の間隔を存して並行に、二つの取付凹部１５２が凹部を原稿面側に向けて形成されている。短板部１５４には、光源基板１４７及び放熱板１９をねじ固定するためのねじ穴となるボス部（円筒突起）１５４ａが設けられている。二つの取付凹部１５２の間は、後述する読取光が通るスリットＳｔ（図４参照）となっており、ボス部１５４ａはスリットＳｔに開口している。それぞれの取付凹部１５２には、導光部材１３０が位置決めして固定されている。
【００４４】
導光部材１３０は、透光性を有する略円柱状で主走査方向に延びる長尺な透光体からなり、この透光体の長手方向の両端面にそれぞれの光入射面１３１が形成され、透光体の長手方向に沿う側面（図５では上面側の上半分）に光出射面１３２が形成され、透光体の長手方向に沿う光出射面１３２と対向する他の側面（図５では下面側の下半分）に光反射面１３３が形成されている。この導光部材１３０は、アクリル樹脂を金型で成形することにより形成される。
【００４５】
また、導光部材１３０の光反射面１３３は、光出射面１３２に沿った幅方向から視て微小な三角形状（例えばノコギリ状）に形成されている。また、長手方向の中央に行くに従って光量を向上させるという観点から、三角形状に形成された反射面の山と山との頂点間の間隔は、長手方向の中央に行くに従い次第に小さくなっている。反射面の形状としてはノコギリ状に限定されず他の形状でもよく、光が均一となるように反射するように設計しておけば、成型やブラスト加工、印刷技術によって形成してもよい。
【００４６】
このような光源ユニット１４０の構成では、導光部材１３０の両端の光入射面１３１にそれぞれ発光素子１４４が対峙して配置されている。そのため、壁部１５１の短板部１５４には、各発光素子１４４の周囲を囲むようにして貫通穴１５５がそれぞれ形成されている。この貫通穴１５５は、発光素子１４４の周囲を囲む短角筒形状の第１貫通穴１５５ａと、導光部材１３０の光入射面１３１である端面部が挿入されて光漏れを防止する短円筒形状の第２貫通穴１５５ｂとからなる。第１貫通穴１５５ａの厚みは、発光素子１４４の厚み（すなわち、光源基板１４７の搭載面から光出射面１４４ａまでの高さ）より若干厚く形成されている。これにより、短板部１５４の第２貫通穴１５５ｂに挿入された導光部材１３０の光入射面１３１と、短板部１５４の第１貫通穴１５５ａ内に内包された発光素子１４４の光出射面１４４ａとが接近して対向配置される。
【００４７】
従って、各発光素子１４４から出射された光は、対向配置された導光部材１３０の光入射面１３１に入射して導光部材１３０の内部で導光され、光出射面１３２から直接出射されるか、光反射面１３３で反射されて光出射面１３２から出射される。
【００４８】
各導光部材１３０の光出射面１３２は、原稿載置台９２を介して原稿の同一箇所に向けられており、各導光部材１３０の光出射面１３２から出射されたそれぞれの光が原稿の同一箇所に入射して、原稿のその箇所が照明され、原稿のその箇所で反射された反射光が読取光としてスリットＳｔを通じて第１ミラー１４６に到達してミラーユニット１４１に向けて反射される。
【００４９】
このような構成において、実施の形態１では、図６及び図７に示すように、短板部１５４の上角部が切り欠かれることによって、貫通穴１５５の一部が開放された状態となっている。より具体的には、貫通穴１５５を囲む短板部１５４の副走査方向Ｘに対向する側壁部と、この側壁部に続く上壁部の一部とが除去されて開放部１５６が形成されている。すなわち、短板部１５４を副走査方向Ｘから見たとき、第１貫通穴１５５ａに内包されている発光素子１４４が開放部１５６を通して完全に露出した状態となっている。実施の形態１では、貫通穴１５５の全周のほぼ１／４以上が除去されている。
【００５０】
これにより、原稿載置台９２に載置された原稿の画像読取時に光源ユニット１４０が副走査方向Ｘに移動することで、短板部１５４を切り欠いた開放部１５６から、発光素子１４４の周辺に空気が流入することになり、この流入空気によって、発光素子１４４及び光源基板１４７を含むその周辺部が冷却されることになる。
【００５１】
この場合、光源ユニット１４０が図６中において副走査方向Ｘ１に移動している場合には、この移動に伴って、図中、右側の開放部１５６から空気が流入する。この流入空気は、主に右側の発光素子１４４の周辺部を通過後、さらにボス部１５４ａの周面部に沿って流れるように通過し、その一部が左側の発光素子１４４に到達して、左側の開放部１５６から光源ユニット１４０の外部に流出する経路を辿ることになる。もちろん、右側の開放部１５６から流入した空気の一部は、他の方向に拡散していく経路も存在する。
【００５２】
一方、光源ユニット１４０が図６中において副走査方向Ｘ２に移動している場合には、この移動に伴って、図中、左側の開放部１５６から空気が流入する。この流入空気は、主に左側の発光素子１４４の周辺部を通過後、さらにボス部１５４ａの周面部に沿って流れるように通過し、その一部が右側の発光素子１４４に到達して、右側の開放部１５６から光源ユニット１４０の外部に流出する経路を辿ることになる。もちろん、左側の開放部１５６から流入した空気の一部は、他の方向に拡散していく経路も存在する。図８は、このときの空気Ｅの主な流れを双方向で示している。
【００５３】
＜実施の形態２＞
図９は、実施の形態２にかかる光源ユニット１４０の一端部を拡大して示す概略斜視図、図１０は、実施の形態２にかかる光源ユニット１４０を構成するホルダー部材の正面図、図１１は、実施の形態２にかかる光源ユニット１４０を構成するホルダー部材の側面図である。
【００５４】
実施の形態１では、開放部１５６は、貫通穴１５５を囲む短板部１５４の副走査方向Ｘに対向する側壁部と、この側壁部に続く上壁部の一部とを除去して形成されている。このように開放部１５６を大きくとることで、冷却効果を向上させることができる。しかし、一方で、上壁部も除去することで、発光素子１４４から出射された光の一部が導光部材１３０に入射されずに外部に漏れるため、導光部材１３０に入射される光量が低下する可能性がある。そこで、実施の形態２では、実施の形態１のような大きな開放部とするのではなく、貫通穴１５５を囲む短板部１５４の副走査方向Ｘに対向する側壁部に、副走査方向Ｘに沿って開口穴（開口部）１５７を形成した構成としている。すなわち、上壁部は除去しない構成としている。すなわち、開口穴１５７の内面は、副走査方向Ｘから見ると上面、下面、側面の３面構造となっており、コ字状に形成されているが、残る面（側面に対向する面）には、光源基板１４７が当接されることで閉塞された一つの開口穴になる。このことは、以後の実施の形態においても同様である。
【００５５】
これにより、原稿載置台９２に載置された原稿の画像読取時に光源ユニット１４０が副走査方向Ｘに移動することで、短板部１５４の側壁部に形成された開口穴１５７から、発光素子１４４の周辺に空気が流入することになり、この流入空気によって、発光素子１４４及び光源基板１４７を含むその周辺部が冷却されることになる。なお、このときの空気の流れも、実施の形態１で説明した図８に示す空気の流れと同じである。
【００５６】
＜実施の形態３＞
図１２は、実施の形態３にかかる光源ユニット１４０の一端部を拡大して示す概略斜視図、図１３は、実施の形態３にかかる光源ユニット１４０を構成するホルダー部材の正面図、図１４は、実施の形態３にかかる光源ユニット１４０を構成するホルダー部材の側面図である。
【００５７】
実施の形態２では、開口穴１５７を副走査方向Ｘに沿って形成しているが、この場合でも、発光素子１４４から出射された光の一部が開口穴１５７から迷光として外部に出力されることになる。その場合、開口穴１５７内を反射した迷光は、その反射角度によっては読取原稿の読取箇所の近傍に照射されてしまう可能性がある。
【００５８】
そこで、実施の形態３では、開口穴（開口部）１５８を副走査方向Ｘに対して傾斜させて設けている。具体的には、開口部１５８は、原稿載置台９２に載置された原稿である被照射体から離れる方向に（下方に）傾斜して設けた構成としている。
【００５９】
これにより、原稿載置台９２に載置された原稿の画像読取時に光源ユニット１４０が副走査方向Ｘに移動することで、短板部１５４の側壁部に形成された開口穴１５８から、発光素子１４４の周辺に空気が流入することになり、この流入空気によって、発光素子１４４及び光源基板１４７を含むその周辺部が冷却されることになる。なお、このときの空気の流れも、実施の形態１で説明した図８に示す空気の流れと基本的に同じである。
【００６０】
また、実施の形態３では、開口部１５８を被照射体から離れる方向に傾斜させている。この場合でも、発光素子１４４から出射された光の一部が開口穴１５８から迷光として外部に出力されることになるが、開口穴１５８内を反射した迷光の反射角度は、読取原稿の読取箇所からは離れた方向へ反射するので、迷光が読取箇所の近傍に照射されてしまう可能性は極めて低い。従って、実施の形態３では、冷却効果と迷光対策の両方を達成することができる。
【００６１】
＜実施の形態４＞
図１５は、実施の形態４にかかる光源ユニット１４０の一端部を拡大して示す概略斜視図、図１６は、実施の形態４にかかる光源ユニット１４０を構成するホルダー部材の正面図である。
【００６２】
実施の形態４は、実施の形態３の構成にさらに改良を加えたものである。
【００６３】
すなわち、実施の形態３では、開口穴（開口部）１５８を副走査方向Ｘに対して傾斜させて直線的に設けているが、実施の形態４では、この開口穴１５８の内面を緩やかな略Ｓ字状に湾曲形成している。これにより、開口穴１５８を通ってホルダー部材１５０内に流入した空気は、開口穴１５８の湾曲面に案内されて発光素子１４４に向けて流れ込むので、発光素子１４４を効率よく冷却することができる。
【００６４】
また、実施の形態４では、開口部１５８を被照射体から離れる方向に湾曲させている。この場合でも、発光素子１４４から出射された光の一部が開口穴１５８から迷光として外部に出力されることになるが、開口穴１５８内を反射した迷光の反射角度は、読取原稿の読取箇所からは離れた方向へ反射するので、迷光が読取箇所の近傍に照射されてしまう可能性は極めて低い。従って、実施の形態４でも、実施の形態３と同様、冷却効果と迷光対策の両方を達成することができる。
【００６５】
＜実施の形態５＞
図１７は、実施の形態５にかかる光源ユニット１４０の一端部を拡大して示す概略横断面図である。
【００６６】
実施の形態５は、実施の形態２から実施の形態４までのいずれの形態にも適用可能であるが、ここでは実施の形態２に適用した場合について説明する。
【００６７】
すなわち、開口穴１５７の内面は、副走査方向Ｘから見ると上面、下面、側面の３面構造となっており、コ字状に形成されている。実施の形態５では、この側面１５７ａが、開口穴１５７から流入する空気を発光素子１４４に導く緩やかな略Ｓ字状の曲面となっている。
【００６８】
この構成によると、開口穴１５７から流入する空気の多くを発光素子１４４の光出射面１４４ａに沿う方向に流入させることができるので、冷却効果を高めることができる。
【００６９】
なお、今回開示した実施の形態はすべての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味及び範囲内でのすべての変更が含まれる。
【符号の説明】
【００７０】
５０  原稿カバー
９０  原稿読取部（原稿読取装置）
９２  原稿載置台（原稿読取装置）
１００  画像形成装置
１２０  自動原稿送り装置（原稿読取装置、原稿カバー）
１３０  導光部材
１３１  光入射面
１３２  光出射面
１３３  光反射面
１４０  光源ユニット
１４３  撮像素子
１４４  発光素子（ＬＥＤ）
１４４ａ  光出射面
１４５  フレーム
１４６  第１ミラー
１４７  光源基板（基板）
１４８  光源駆動回路基板
１４９  放熱板
１５０  ホルダー部材（支持部材）
１５１  壁部
１５２  取付凹部
１５３  長尺板部
１５４  短板部
１５４ａ  ボス部（円筒突起）
１５５  貫通穴
１５５ａ  第１貫通穴
１５５ｂ  第２貫通穴
１５７，１５８  開口穴（開口部）
１５７ａ  側面
Ｓｔ  スリット
【図１】
0006460872.tif 000002
【図２】
0006460872.tif 000003
【図３】
0006460872.tif 000004
【図４】
0006460872.tif 000005
【図５】
0006460872.tif 000006
【図６】
0006460872.tif 000007
【図７】
0006460872.tif 000008
【図８】
0006460872.tif 000009
【図９】
0006460872.tif 000010
【図１０】
0006460872.tif 000011
【図１１】
0006460872.tif 000012
【図１２】
0006460872.tif 000013
【図１３】
0006460872.tif 000014
【図１４】
0006460872.tif 000015
【図１５】
0006460872.tif 000016
【図１６】
0006460872.tif 000017
【図１７】
0006460872.tif 000018